【手続補正書】
【提出日】平成25年1月21日(2013.1.21)
【手続補正１】
【補正対象書類名】特許請求の範囲
【補正対象項目名】全文
【補正方法】変更
【補正の内容】
【特許請求の範囲】
【請求項１】
対向配置される一対の基板と、
前記一対の基板の内の一方の基板に形成された薄膜トランジスタと画素電極とを有する複数の画素と、
前記薄膜トランジスタと前記画素電極との間に形成され、且つ互いに隣接して形成された第１のカラーフィルタと第２のカラーフィルタと第３のカラーフィルタから成るカラーフィルタ層とを有する液晶表示装置であって、
前記薄膜トランジスタの一方の電極と前記画素電極とは、前記カラーフィルタ層に形成されたコンタクトホールを介して接続され、
前記カラーフィルタ層から成る前記コンタクトホールの側壁は、テーパー状に形成され、
前記カラーフィルタ層と接している前記カラーフィルタ層の下層は、前記側壁と平面的に見て重畳する第１の面と、前記第１の面よりも前記画素電極側に位置する第２の面とを有し、且つ前記第１の面と前記第２の面によって第１の段差を形成し、
前記側壁と前記第１の面が交わる位置から、前記第２の面側の前記第１の面の端部までの距離が、１μｍ以下であり、
前記第１のカラーフィルタ、前記第２のカラーフィルタ、前記第３のカラーフィルタは、前記第１のカラーフィルタの一方の端部の上層に前記第２のカラーフィルタの端部を重ね合わせ、且つ前記第１のカラーフィルタの前記一方の端部とは異なる他方の端部の上層に前記第３のカラーフィルタの端部を重ね合わせて形成され、
前記第１のカラーフィルタの一方の端部と他方の端部とはテーパー状に形成され、
前記下層の内、前記第１のカラーフィルタと接している領域は、前記一方の端部又は前記他方の端部と平面的に見て重畳する第３の面と、前記第３の面よりも前記一方の電極側に位置する第４の面とを有し、且つ前記第３の面と前記第４の面によって段差を形成し、
前記前記一方の端部又は前記他方の端部と前記第３の面とが交わる位置から、前記第４の面側の前記第３の面の端部までの距離が、１μｍ以下であることを特徴とする液晶表示装置。
【請求項２】
前記下層は、窒化シリコン又は酸化シリコンを含む無機絶縁膜であることを特徴とする請求項１に記載の液晶表示装置。
【請求項３】
前記薄膜トランジスタはゲート絶縁膜を有し、
前記第２の面の下層には、前記ゲート絶縁膜の端部が位置していることを特徴とする請求項１又は２に記載の液晶表示装置。
【請求項４】
前記一方の基板は、前記薄膜トランジスタを介して前記画素電極に映像信号を供給する複数のドレイン線を有し、
前記第３の面の下層には、前記ドレイン線が位置していることを特徴とする請求項１から請求項３の何れか１項に記載の液晶表示装置。
【請求項５】
薄膜トランジスタと画素電極とを有する複数の画素と、前記薄膜トランジスタの一方の電極と前記画素電極との間に形成された有機絶縁膜とを有する液晶表示装置であって、
前記一方の電極と前記画素電極とは、前記有機絶縁膜に形成されたコンタクトホールを介して接続され、
前記有機絶縁膜のから成る前記コンタクトホールの側壁は、テーパー状に形成され、
前記有機絶縁膜と接している前記有機絶縁膜の下層は、前記側壁と平面的に見て重畳する第１の面と、前記第１の面よりも前記画素電極側に位置する第２の面とを有し、且つ前記第１の面と前記第２の面によって段差を形成し、
前記側壁と前記第１の面が交わる位置から、前記第２の面側の前記第１の面の端部までの距離が、１μｍ以下であることを特徴とする液晶表示装置。
【請求項６】
前記下層は、窒化シリコン又は酸化シリコンを含む無機絶縁膜であることを特徴とする請求項５に記載の液晶表示装置。
【請求項７】
前記薄膜トランジスタはゲート絶縁膜を有し、
前記第２の面の下層には、前記ゲート絶縁膜の端部が位置していることを特徴とする請求項５又は請求項６に記載の液晶表示装置。
【請求項８】
Ｙ方向に延在しＸ方向に並設されるドレイン線と、Ｘ方向に延在しＹ方向に並設されるゲート線と、前記ゲート線からの走査信号に同期して前記ドレイン線からの映像信号を画素電極に出力する薄膜トランジスタと、前記薄膜トランジスタと前記画素電極との間に形成される有機膜とを有する第１基板と、液晶層を介して前記第１基板に対向配置される第２基板と、を備える液晶表示装置であって、
前記有機膜は、前記薄膜トランジスタのソース電極と前記画素電極とを電気的に接続するコンタクトホールを有し、
前記有機膜の下層に段差が形成されており、前記有機膜のコンタクトホールを形成する前記薄膜トランジスタ側の辺縁部が前記段差の下段側に形成され、
前記有機膜に形成されるコンタクトホールの側壁部分が、テーパー角６０°以上で形成されることを特徴とする液晶表示装置。
【請求項９】
前記有機膜は、前記段差を含むようにして、前記段差の上層に形成されることを特徴とする請求項８に記載の液晶表示装置。
【請求項１０】
前記有機膜は、無機絶縁膜の上層に形成される有機絶縁膜からなることを特徴とする請求項８又は請求項９に記載の液晶表示装置。
【請求項１１】
前記有機膜は、無機絶縁膜の上層に形成される赤色（Ｒ）、緑色（Ｇ）、青色（Ｂ）の着色層からなることを特徴とする請求項８又は９に記載の液晶表示装置。
【請求項１２】
前記着色層は、隣接端部がテーパー状に形成され、前記赤色（Ｒ）、緑色（Ｇ）、青色（Ｂ）の着色層の内の２つの着色層の該隣接端部が重畳するようにして形成され、
前記２つの着色層の該隣接端部が重畳する領域は、前記ドレイン線の上層に位置すると共に、前記ドレイン線と重畳していることを特徴とする請求項１１に記載の液晶表示装置。
【請求項１３】
前記段差は、前記無機絶縁膜の段差であることを特徴とする請求項１０乃至１２の内の何れかに記載の液晶表示装置。
【請求項１４】
前記段差は、当該無機絶縁膜の下層に形成される薄膜層の積層数の違いにより形成されることを特徴とする請求項８から請求項１３の何れか１項に記載の液晶表示装置。
【手続補正２】
【補正対象書類名】明細書
【補正対象項目名】００１０
【補正方法】変更
【補正の内容】
【００１０】
前記課題を解決すべく、本願発明の液晶表示装置は、対向配置される一対の基板と、前記一対の基板の内の一方の基板に形成された薄膜トランジスタと画素電極とを有する複数の画素と、前記薄膜トランジスタと前記画素電極との間に形成され、且つ互いに隣接して形成された第１のカラーフィルタと第２のカラーフィルタと第３のカラーフィルタから成るカラーフィルタ層とを有する液晶表示装置であって、前記薄膜トランジスタの一方の電極と前記画素電極とは、前記カラーフィルタ層に形成されたコンタクトホールを介して接続され、前記カラーフィルタ層から成る前記コンタクトホールの側壁は、テーパー状に形成され、前記カラーフィルタ層と接している前記カラーフィルタ層の下層は、前記側壁と平面的に見て重畳する第１の面と、前記第１の面よりも前記画素電極側に位置する第２の面とを有し、且つ前記第１の面と前記第２の面によって第１の段差を形成し、前記側壁と前記第１の面が交わる位置から、前記第２の面側の前記第１の面の端部までの距離が、１μｍ以下であり、前記第１のカラーフィルタ、前記第２のカラーフィルタ、前記第３のカラーフィルタは、前記第１のカラーフィルタの一方の端部の上層に前記第２のカラーフィルタの端部を重ね合わせ、且つ前記第１のカラーフィルタの前記一方の端部とは異なる他方の端部の上層に前記第３のカラーフィルタの端部を重ね合わせて形成され、前記第１のカラーフィルタの一方の端部と他方の端部とはテーパー状に形成され、前記下層の内、前記第１のカラーフィルタと接している領域は、前記一方の端部又は前記他方の端部と平面的に見て重畳する第３の面と、前記第３の面よりも前記一方の電極側に位置する第４の面とを有し、且つ前記第３の面と前記第４の面によって段差を形成し、前記前記一方の端部又は前記他方の端部と前記第３の面とが交わる位置から、前記第４の面側の前記第３の面の端部までの距離が、１μｍ以下であることを特徴とする。
【手続補正３】
【補正対象書類名】明細書
【補正対象項目名】００１２
【補正方法】変更
【補正の内容】
【００１２】
また、本願発明の液晶表示装置は、Ｙ方向に延在しＸ方向に並設されるドレイン線と、Ｘ方向に延在しＹ方向に並設されるゲート線と、前記ゲート線からの走査信号に同期して前記ドレイン線からの映像信号を画素電極に出力する薄膜トランジスタと、前記薄膜トランジスタと前記画素電極との間に形成される有機膜とを有する第１基板と、液晶層を介して前記第１基板に対向配置される第２基板と、を備える液晶表示装置であって、前記有機膜は、前記薄膜トランジスタのソース電極と前記画素電極とを電気的に接続するコンタクトホールを有し、前記有機膜の下層に段差が形成されており、前記有機膜のコンタクトホールを形成する前記薄膜トランジスタ側の辺縁部が前記段差の下段側に形成され、前記有機膜に形成されるコンタクトホールの側壁部分が、テーパー角６０°以上で形成されることを特徴とする。